(57)【要約】      （修正有）【課題】操作された壁スイッチについては、一定時間リフレッシュ機能を禁止し、操作者は壁スイッチの状態表示モニタで操作されたことを確実に知ることができる照明制御システムを提供する。【解決手段】伝送線１と；伝送線に電気的に接続された主操作盤２と；伝送線に電気的に接続された壁スイッチ３と；壁スイッチまたは壁スイッチ近傍に配置され、壁スイッチの状態表示モニタを修正するリフレッシュ手段２ａと；照明制御端末ユニットに対して照明制御が行われた場合、現状の調光レベルから新規の制御レベルまで制御する場合、ゆっくり制御するフェード手段５ａと；フェード手段によるフェード期間中に壁スイッチが押された場合、前記状態表示モニタの表示をリフレッシュによる更新をしないようにするリフレッシュ禁止手段２ｂと；を具備している。【選択図】図１
2005108542.tif 000002
【特許請求の範囲】
【請求項１】
伝送線と；
伝送線に電気的に接続された主操作盤と；
伝送線に電気的に接続された壁スイッチと；
壁スイッチまたは壁スイッチ近傍に配置され、壁スイッチを押す毎に点灯・消灯反転制御が行なわれて壁スイッチの動作状態を表示する状態表示モニタと；
前記伝送線に電気的に接続され、主操作盤から送信される目標照度値または調光レベルを受信してその制御値になるように照明器具を制御する照明制御端末ユニットと；
定期的に他の制御等で壁スイッチに割付されている回路の状態が変わっていないかチェックして変わっているときはその変わった状態に壁スイッチの状態表示モニタを修正するリフレッシュ手段と；
照明制御端末ユニットに対して照明制御が行われた場合、現状の調光レベルから新規の制御レベルまで制御する場合、ゆっくり制御するフェード手段と；
フェード手段によるフェード期間中に壁スイッチが押された場合、前記状態表示モニタの表示をリフレッシュによる更新をしないようにするリフレッシュ禁止手段と；
を具備していることを特徴とする照明制御システム。
【請求項２】
リフレッシュ禁止手段による禁止時間は、約１分であることを特徴とする請求項１記載の照明制御システム。
【発明の詳細な説明】
【技術分野】
【０００１】
本発明は、伝送線を介して接続された主操作盤、壁スイッチ、照明制御端末ユニットおよび照明器具を有する照明制御システムに関する。
【背景技術】
【０００２】
従来の照明制御装置は、伝送線を介して接続された主操作盤、壁スイッチ、照明制御端末ユニットおよび照明器具を有して構成されている。そして、部屋の入口等に設けた壁スイッチの操作で部屋の天井等に設置した照明器具を制御する照明制御装置では、壁スイッチに設けたスイッチ内、またはスイッチの近傍に配置した状態表示モニタを主操作盤が制御して照明の点消灯状態を示すよう構成している（例えば特許文献１参照）。
【０００３】
従来の照明制御装置の場合、状態表示モニタは、例えば赤色、緑色等の２色の発光ダイオード（以下、赤ＬＥＤ、緑ＬＥＤという。）であり、照明器具が点灯している場合、主操作盤は、状態表示モニタの赤ＬＥＤを点灯させて、利用者に消灯を促すようにしている。例えば赤ＬＥＤの点灯は、該当照明器具が点灯していることを示し、緑ＬＥＤの点灯は、該当照明器具が消灯していることを示している。
【０００４】
このような照明制御装置の場合、壁スイッチのスイッチ操作に対して照明器具と状態表示モニタとをほぼ同時に点消灯制御する必要があるが、監視タイミングの関係で、照明器具の点消灯状態と状態表示モニタのＬＥＤの照明状態とがずれる、つまり一致しなくなることがある。
【０００５】
そこで、従来は壁スイッチの操作があったときは、操作者にいち早く壁スイッチ操作信号を受け取ったことを知らせるために、壁スイッチの状態を状態表示モニタに表示させ、その後にその壁スイッチに割付している照明制御端末ユニットである調光センサの回路に対して、壁スイッチの操作による制御値を伝送して照明を制御していた。
【０００６】
また、当該照明制御装置には、上記の操作とは同期することなく、定期的に他の制御等で壁スイッチに割付されている回路の状態が変わっていないかチェックして変わっているときはその変わった状態に壁スイッチの状態表示モニタを修正するリフレッシュ機能がある。
【０００７】
これは、例えば壁スイッチは点灯制御していたときに、当該壁スイッチに割付されている回路がタイムスケジュール制御等による他の制御で全て消灯になった場合、壁スイッチの状態表示モニタが「点灯」では不都合である。この場合の壁スイッチの状態表示モニタは「消灯」とするべきであり、これをリフレッシュ機能と称している。
【特許文献１】特許第３１１８８０８号公報（第２図）
【発明の開示】
【発明が解決しようとする課題】
【０００８】
上述したリフレッシュ機能は、通常、緊急性は少ないのでゆっくり（例えば、1分程度かけて。）リフレッシュを行うが、タイミングによっては直ぐに行われる場合もある。
【０００９】
また、照明制御端末ユニットである調光センサに照明制御が行われた時に現状の調光レベルから新規の制御レベルまで制御する場合に、ゆっくり制御するフェード機能がある。壁スイッチで調光センサを制御した場合、例えば「点灯」から「消灯」制御した場合、照明はゆっくりと暗くなり最後は消灯になる。この状態の壁スイッチの状態表示モニタは、「点灯」から消灯制御により「消灯」になる。しかし、この後、照明はゆっくり消灯側になっているのでこの間にリフレッシュが行われるとまだ点灯中なので「点灯」に戻ってしまう。
【００１０】
この結果、壁スイッチの操作者は、壁スイッチを押して消灯にしたつもりなのに、壁スイッチの表示が直ぐに「点灯」に戻るため、押していないのではないかと思ってしまうことになる。すなわち、操作者の意思とは相反する状態表示モニタの表示となることから、誤操作を招く恐れがある問題があった。
【００１１】
本発明は、操作された壁スイッチについては、一定時間リフレッシュ機能を禁止し、操作者は壁スイッチの状態表示モニタで操作されたことを確実に知ることができる照明制御システムを提供することを目的としている。
【課題を解決するための手段】
【００１２】
請求項１に記載の発明は、伝送線と；伝送線に電気的に接続された主操作盤と；伝送線に電気的に接続された壁スイッチと；壁スイッチまたは壁スイッチ近傍に配置され、壁スイッチを押す毎に点灯・消灯反転制御が行なわれて壁スイッチの動作状態を表示する状態表示モニタと；前記伝送線に電気的に接続され、主操作盤から送信される目標照度値または調光レベルを受信してその制御値になるように照明器具を制御する照明制御端末ユニットと；定期的に他の制御等で壁スイッチに割付されている回路の状態が変わっていないかチェックして変わっているときはその変わった状態に壁スイッチの状態表示モニタを修正するリフレッシュ手段と；照明制御端末ユニットに対して照明制御が行われた場合、現状の調光レベルから新規の制御レベルまで制御する場合、ゆっくり制御するフェード手段と；フェード手段によるフェード期間中に壁スイッチが押された場合、前記状態表示モニタの表示をリフレッシュによる更新をしないようにするリフレッシュ禁止手段と；を具備していることを特徴とする。
【００１３】
請求項２記載の発明は、請求項１記載の照明制御システムにおいて、リフレッシュ禁止手段による禁止時間は、約１分であることを特徴とする。
【発明の効果】
【００１４】
請求項１および２記載の照明制御システムによれば、リフレッシュ禁止手段は、フェード手段によるフェード期間中に壁スイッチが押された場合、状態表示モニタの表示をリフレッシュ更新しないようにするので、操作者の意思とは相反する状態表示モニタの表示とならず、操作者は壁スイッチの状態表示モニタで操作されたことを確実に知ることができる。
【発明を実施するための最良の形態】
【００１５】
以下、本発明の一実施の形態を図面を参照して詳細に説明する。図１は本発明の一実施の形態を示す照明制御システムの構成図、図２は、同じく、フェード手段の機能を示すチャート図、図３は、同じく、主な処理を示すフローチャート図、および図４は、同じく、壁スイッチ操作によるフローチャート図を示している。
【００１６】
図において、照明制御システムは、伝送線１と、この伝送線１に電気的に接続された主操作盤２と、伝送線１に電気的に接続された壁スイッチ３と、状態表示モニタ３ａ，３ｂと、照明制御端末ユニット５と、照明制御端末ユニット５で調光制御される照明器具４で構成されている。そして、主操作盤２は、リフレッシュ手段２ａと、リフレッシュ禁止手段２ｂとを有しており、また、照明制御端末ユニット５には、フェード手段５ａを有している。
【００１７】
状態表示モニタ３ａ，３ｂは、壁スイッチ３または壁スイッチ近傍に配置され、壁スイッチを押す毎に点灯・消灯反転制御が行なわれて壁スイッチの動作状態を表示する。この状態表示モニタ３ａ，３ｂは、スイッチ３１〜３４において、向かって左側に設けられた赤色発光ダイオード（以下、赤ＬＥＤという。）と、スイッチ３１〜３４において、向かって右側に設けられた緑色発光ダイオード（以下、緑ＬＥＤという。）とからなる。赤ＬＥＤは、照明が点灯状態であることを示し、緑ＬＥＤは、照明が消灯していることを示している。
【００１８】
照明制御端末ユニット５としての調光センサ５は、伝送線１に電気的に接続され、主操作盤２から送信される目標照度値または調光レベルを受信してその制御値になるように、複数の照明器具４を制御する。
【００１９】
さらに、リフレッシュ手段２ａは、定期的に他の制御等で壁スイッチ３に割付されている回路の状態が変わっていないかチェックし、変わっているときはその変わった状態に壁スイッチ３の状態表示モニタ３ａ，３ｂを修正する。そして、リフレッシュ禁止手段２ｂは、壁スイッチ３を押した場合に、一定時間は、状態表示モニタ３ａ，３ｂの表示をリフレッシュによる更新をしないようにするものである。
【００２０】
さらにまた、フェード手段５ａは、照明制御端末ユニット５に照明制御が行われた時に現状の調光レベルから新規の制御レベルまで制御するのにゆっくり制御するものである。
【００２１】
以下、図３のフローチャートを参照してこの照明制御システムの動作を説明する。主操作盤２の電源を投入すると、制御部は、イニシャライズ処理(イニシャル処理)を実行する（Ｓ１０１）。イニシャル処理の後、制御部は、以下のメイン処理を実行する。
【００２２】
メイン処理では、制御部は、まず、操作スイッチまたは液晶画面のタッチパネル信号の入力をチェックする（Ｓ１０２）。続いて、制御部は、操作スイッチまたは液晶画面のタッチパネルから入力された信号を解析すると共にその解析結果に応じた処理を行う（Ｓ１０３）。
【００２３】
処理後、制御部は、表示処理を実行することで、表示部の液晶画面に処理結果を表示する（Ｓ１０４）。続いて、制御部は、スケジュール設定テーブルを参照して割付データを読み出し、また、スケジュール設定テーブルに対する設定データの記憶処理を実行する（Ｓ１０５）。
【００２４】
その後、制御部は、タイムスケジュール制御処理・手動操作制御処理、伝送線１を介しての壁スイッチ３等の監視対象の子機からの操作信号の入力に応じた照明の制御処理を実行する（Ｓ１０６）。
【００２５】
照明制御処理後、制御部は、伝送信号の入力・出力処理を行い（Ｓ１０７）、最後に全部屋の中のスイッチのＬＥＤ表示のリフレッシュ処理を実行する（Ｓ１０８）。リフレッシュ処理とは、対象スイッチに対応する照明器具の点消灯状態と表示モニタの表示状態とを一致させる処理である。
【００２６】
この一回のメイン処理（Ｓ１０１〜Ｓ１０８の処理）は、おおよそ50msec〜100msecで実行されるが、画面操作に対する応答処理が遅いと使用者から苦情がくるため、画面操作関連の処理については、タイムシェアリングにより優先的に処理を実行するようプログラムされている。リフレッシュ処理については、従来さほど問題にされなかったためゆっくり処理する対象とされてきた。
【００２７】
主操作盤２には、壁スイッチ３として、最大1024個が接続可能であり、一回のメイン処理で2個のスイッチをリフレッシュした場合、全てのスイッチをリフレッシュするのにメイン処理を512回実行することになる。１回のメイン処理を、例えば比較的速い処理時間の50msecで実行した場合、50×512=25600msec=25秒かかることになる。
【００２８】
本実施の形態において、調光センサ５に照明制御が行われた時に現状の調光レベルから新規の制御レベルまで制御する場合に、ゆっくり制御するフェード機能がある（図２参照。）。このフェード機能５ａが動作している場合おいて、壁スイッチ３で調光センサ５を制御した場合、例えば「点灯」から「消灯」制御した場合、照明はゆっくりと暗くなり最後は消灯になる。この状態の壁スイッチ５の状態表示モニタ３ａ，３ｂは、「点灯」から消灯制御により「消灯」になる。しかし、この後、照明はゆっくり消灯側になっているのでこの間にリフレッシュが行われるとまだ点灯中なので「点灯」に戻ってしまう。
【００２９】
この結果、壁スイッチの操作者は、壁スイッチを押して消灯にしたつもりなのに、壁スイッチの表示が直ぐに「点灯」に戻るため、押していないのではないかと思ってしまうことになる。
【００３０】
そこで、フレッシュ禁止手段２ｂは、フェード手段５ａによるフェード期間中に壁スイッチ３が押された場合、状態表示モニタの表示をリフレッシュによる更新をしないようにしている。
【００３１】
この動作を図４のフローチャートを参照して説明する。フェード期間中に壁スイッチ３が押された場合、操作された壁スイッチの回路に対し、フレッシュ禁止フラグとタイマをセットする。そして、タイマが１分経過した場合にフラグをリセットし、リフレッシュ動作をするようにしている。
【図面の簡単な説明】
【００３２】
【図１】本発明の一実施の形態を示す照明制御システムの構成図。
【図２】同じく、フェード手段の機能を示すチャート図。
【図３】同じく、主な処理を示すフローチャート図。
【図４】同じく、壁スイッチ操作をした場合のフローチャート図。
【符号の説明】
【００３３】
１…伝送線、２…主操作盤、２ａ…リフレッシュ手段、２ｂ…リフレッシュ禁止手段、３…壁スイッチ、４…照明器具、５…照明制御端末ユニット、５ａ…フェード手段。
【図１】
2005108542.tif 000003
【図２】
2005108542.tif 000004
【図３】
2005108542.tif 000005
【図４】
2005108542.tif 000006